(57)【要約】【課題】回転清掃体と駆動用のベルトとの組付を迅速且つ簡易に行うことができると共に、回転清掃体を吸込口本体に組付後に回転清掃体が回転しないような事態が生ずるのを未然に防止できる吸込口体及びこれを用いた電気掃除機を提供すること。【解決手段】吸込口体２８は、底面に吸込開口３６ａを有する吸込室３６が設けられた吸込口本体２９と、吸込室３６に配設され且つ吸込口本体２９に回転自在に保持された回転清掃体３７と、吸込口本体２９に設けられた駆動モータ４４と、駆動モータ４４の回転を回転清掃体３７の回転伝達部に伝達するタイミングベルト５０を備えている。しかも、吸込口本体２９は上下に回動して開閉する一対の開閉部材（本体ケース３２，上蓋３４）を備え、タイミングベルト５０は一方の開閉部材（本体ケース３２又は上蓋３４）の一方に保持されていると共に、前記回転清掃体３７の回転伝達部は一対の開閉部材（本体ケース３２又は上蓋３４）の一方を閉じたときにタイミングベルト５０の外周面に押し付けられるように設けられている。【選択図】  図３
2006006455.tif 000002
【特許請求の範囲】
【請求項１】
底面に吸込開口を有する吸込室が設けられた吸込口本体と、前記吸込室に配設され且つ前記吸込口本体に回転自在に保持された回転清掃体と、前記吸込口本体に設けられた駆動モータと、前記駆動モータの回転を前記回転清掃体の回転伝達部に伝達するベルトを備える吸込口体において、
前記吸込口本体は上下に回動して開閉する一対の開閉部材を備え、前記ベルトは一方の開閉部材に保持されていると共に、前記回転清掃体の回転伝達部は前記一対の開閉部材を閉じたときに前記ベルトの外周面に押し付けられるように設けられていることを特徴とする吸込口体。
【請求項２】
請求項１に記載の吸込口体において、前記一対の開閉部材は本体ケースと該本体ケースの上部側に取り付けられている蓋体であると共に、前記蓋体に前記ベルトが保持されていることを特徴とする吸込口体。
【請求項３】
請求項２に記載の吸込口体において、前記蓋体は前記吸込室を開閉可能に前記本体ケースの上部側に取り付けられている上蓋であることを特徴とする吸込口体。
【請求項４】
請求項１に記載の吸込口体において、前記一対の開閉部材は上ケースと該上ケースの底部側に取り付けられている蓋体であると共に、前記蓋体に前記ベルトが保持されていることを特徴とする吸込口体。
【請求項５】
請求項４に記載の吸込口体において、前記蓋体は前記吸込室を開閉可能に吸込口本体の底部側に取り付けられている底蓋であることを特徴とする吸込口体。
【請求項６】
請求項１に記載の吸込口体において、前記一対の開閉部材の一方は前記ベルトを保持する上ケースであり、前記一対の開閉部材の他方は前記吸込室を開閉可能に前記上ケースの下部側に取り付けられている底蓋であると共に、前記回転清掃体の両端部は前記上ケースと底蓋との間で回転自在に保持され、前記回転清掃体の回転伝達部は前記上ケースのベルトに押し付けられていることを特徴とする吸込口体。
【請求項７】
請求項１に記載の吸込口体において、前記一対の開閉部材の一方は前記ベルトを保持する本体ケースであり、前記一対の開閉部材の他方は前記吸込室を開閉可能に前記本体ケースの上部側に取り付けられている上蓋であると共に、前記回転清掃体の両端部は前記本体ケースと上蓋との間で回転自在に保持され、前記回転清掃体の回転伝達部は前記本体ケースのベルトに押し付けられていることを特徴とする吸込口体。
【請求項８】
請求項１〜７のいずれか一つに記載の吸込口体を備えることを特徴とする電気掃除機。
【発明の詳細な説明】
【技術分野】
【０００１】
この発明は、吸込室に配設された回転清掃体及び駆動モータの回転を回転清掃体に伝達するベルトを備える吸込口体及び及びこれを備える電気掃除機に関するものである。
【背景技術】
【０００２】
従来の電気掃除機には、図１０に示したように、集塵室１及びこの集塵室１に吸込負圧を作用させる電動送風機２を有する掃除機本体３を設け、一端がこの掃除機本体３の集塵室１に接続された集塵ホース４の他端部に手元操作パイプ５を一体に設けると共に、この手元操作パイプ５に延長パイプ６を介して吸込口体７を接続したものがある。
【０００３】
このような電気掃除機の吸込口体７では、図１０に示したように吸込口本体８に接続パイプ９を取り付けると共に、図１１に示したように吸込口本体８に吸込室１０を設け、この吸込室１０の吸込開口（図示せず）を吸込口本体８の底面に設けている。
【０００４】
しかも、吸込開口に沿って延びる回転清掃体１１を吸込室１０内に回転自在に配設すると共に、吸込口本体８に取り付けた駆動モータ１２の回転をベルト１３，１４を介して回転清掃体１１に伝達するようにしたものが知られている（例えば、特許文献１，２参照）。
【０００５】
このような電気掃除機では、駆動モータ１２の作動により、駆動モータ１２の回転がベルト１３，１４を介して回転清掃体１１に伝達され、回転清掃体１１の図示を省略したブラシ又は軟質のブレードが清掃面の塵埃を掻き上げるようになっている。そして、掻き上げられた塵埃は、エアと共に吸込室１０の吸込開口（図示せず）から吸込室１０内に吸い込まれる。
【０００６】
ところで、このような吸込口体７においては、回転清掃体１１に糸くずや髪の毛等が巻き付いて、回転清掃体１１の回転が止まることもある。この場合には、回転清掃体１１から糸くずや髪の毛等を取り除く必要がある。このため、従来は、吸込口本体８の上蓋８ａを開いて、回転清掃体１１を取り外し、この回転清掃体１１から糸くずや髪の毛等を除去できるようにしたものが考えられている。
【０００７】
そして、糸くずや髪の毛等を除去した後は、回転清掃体１１を吸込室１０内に組み付けて、上蓋８ａで吸込室１０を閉成する。この際、回転清掃体１１の一端部に設けたギヤ１１ａにベルト１４を掛け渡す必要がある。
【特許文献１】特開２０００−３５４６５号公報
【特許文献１】特開２００２−３３０９０４号公報
【発明の開示】
【発明が解決しようとする課題】
【０００８】
しかしながら、回転清掃体１１のギヤ１１ａとベルト１４の組付状態によっては、回転清掃体１１を吸込室１０内に組み付けた後に、回転清掃体１１が回転しない場合がある。この場合には、駆動モータ１２に大きな負荷が作用するので、好ましいものではなかった。
【０００９】
そこで、この発明は、回転清掃体と駆動用のベルトとの組付を迅速且つ簡易に行うことができると共に、回転清掃体を吸込口本体に組付後に回転清掃体が回転しないような自体が生ずるのを未然に防止できる吸込口体及びこれを用いた電気掃除機を提供することを目的とするものである。
【課題を解決するための手段】
【００１０】
この目的を達成するため、この発明の吸込口体及びこれを用いた電気掃除機は、底面に吸込開口を有する吸込室が設けられた吸込口本体と、前記吸込室に配設され且つ前記吸込口本体に回転自在に保持された回転清掃体と、前記吸込口本体に設けられた駆動モータと、前記駆動モータの回転を前記回転清掃体の回転伝達部に伝達するベルトを備える吸込口体において、前記吸込口本体は上下に回動して開閉する一対の開閉部材を備え、前記ベルトは一方の開閉部材に保持されていると共に、前記回転清掃体の回転伝達部は前記一対の開閉部材を閉じたときに前記ベルトの外周面に押し付けられるように設けられていることを特徴とする。
【発明の効果】
【００１１】
この構成によれば、回転清掃体と駆動用のベルトとの組付を迅速且つ簡易に行うことができると共に、回転清掃体を吸込口本体に組付後に回転清掃体が回転しないような自体が生ずるのを未然に防止できる。
【発明を実施するための最良の形態】
【００１２】
以下、この発明の実施の形態を図面に基づいて説明する。
[構成]
図１において、２１は電気掃除機の掃除機本体、２２は掃除機本体２１内に設けられた集塵室、２３は集塵室２２内に配設された紙パックフィルタ等の集塵フィルタ（集塵袋）、２４は集塵室２２に吸込負圧を作用させる電動送風機である。
【００１３】
尚、本実施例では、紙パックフィルタ等の集塵フィルタ２３に塵埃を捕集させる構成としているが、掃除機本体２１にダストカップ等の集塵容器を着脱可能に取り付けて、集塵容器に塵埃を捕集させるようにしても良い。
【００１４】
掃除機本体２１には集塵フィルタ２３を介して集塵室２２に連通させた蛇腹状で可撓性の集塵ホース２５が接続され、集塵ホース２５の自由端部には集塵ホース２５に連通する手元操作パイプ（手元操作管）２６が一体に設けられている。
【００１５】
この手元操作パイプ２６には、操作パネル２６ａと、握り部２６ｂが設けられている。この操作パネル２６ａには「弱／中」吸込風量切り替え用のスイッチＳ１と、「強」吸込風量用のスイッチＳ２と、「切り」用のスイッチＳ３が設けられている。
【００１６】
また、手元操作パイプ２６には延長管（延長パイプ）２７を介して吸込口体２８が接続されている。
【００１７】
この吸込口体２８は、図２に示したように吸込口本体２９，回転管３０及び延長管２７に接続された接続パイプ３１を有する。
【００１８】
この吸込口本体２９は、図２，図３に示したように上方に開放する本体ケース（下ケース）３２と、この本体ケース３２に取り付けられた中ケース３３と、本体ケース３２の上部開口及び中ケース３３を覆う上蓋（上ケース）３４を有する。
【００１９】
また、本体ケース３２の前側には、図３に示したように、本体ケース３２の両側部３２ａ，３２ｂ付近まで延び且つ前端及び上下に開放する空間３５が形成されている。また、中ケース３３には、図３に示したように空間３５の後縁に沿う縦仕切壁３３ａと、縦仕切壁３３ａの左右方向の中央に設けられ且つ後方に延びる筒部３３ｂ（図２参照）が設けられている。
【００２０】
この筒部３３ｂには、図２に示したように回転管３０が前後に延びる軸線Ｏを中心に回転自在に取り付けられている。この回転管３０には、接続パイプ３１の前端部が軸線Ｏと直交する軸線を中心に上下回動可能に取り付けられている。
【００２１】
また、上蓋３４は、図３，図４に示したように後縁部を中心に上下回動可能に本体ケース３２の後縁部に取り付けられている。そして、この上蓋３４を図１，図２の如く閉じた状態では、本体ケース３２及び中ケース３３の縦仕切壁３３ａと上蓋３４との間に左右に延びる吸込室３６が形成されている。しかも、この吸込室３６の吸込開口３６ａは本体ケース２９の下面に開口している。尚、上蓋３４の前側両側部は、本体ケース３２に図示を省略した係止爪や係止片等で着脱可能に係合させられる。
【００２２】
更に、この吸込室３６内には図３に示したように吸込開口３６ａに沿わせた回転清掃体３７が図２の如く配設されている。この回転清掃体３７は、図２Ａに示したように左右に延びる回転軸３８と、回転軸３８に取り付けられた軟質で樹脂製のブレード（掻き上げ部材）３９と、回転軸３８の一端部近傍に固定されたギヤ４０と、回転軸３８の両端部に相対回転自在に取り付けられた軸受４１，４１を有する。
【００２３】
また、図３の本体ケース３２の両側部３２ａ，３２ｂの内面には図２Ａ，図２Ｂに示したように上方に開放する軸受取付凹部４２，４２が形成され、この軸受取付凹部４２，４２には回転清掃体３７の軸受４１，４１が係合させられている。そして、この軸受４１，４１は、上蓋３４の両側壁３４ａ，３４ｂに設けられた軸受押さえ４３，４３で軸受取付凹部４２，４２に押さえ付けられている。
【００２４】
また、図３に示したように本体ケース３２の後部の一側部には左右方向に向けた駆動モータ４４が取り付けられ、図５，図６に示したように駆動モータ４４の出力軸４４ａにはギヤ４５が取り付けられている。しかも、側壁３４ａの前端部及び前後方向中間部には取付片４６，４７が下方に向けて突設されている。この取付片４６，４７の内側にはギヤ４８，４９が回転自在に保持されている。
【００２５】
そして、ギヤ４５，４８，４９にはタイミングベルト５０が掛け渡されている。このタイミングベルト５０は、内周面及び外周面にギヤの歯（図示略）が設けられている。しかも、タイミングベルト５０の外周面のギヤの歯（図示略）は回転清掃体３７のギヤ４０に押し付けられた状態で噛合している。
[作用]
次に、このような構成の電気掃除機の作用を説明する。
【００２６】
手元操作パイプ２６に設けられたスイッチＳ１又はＳ２を入れると、吸込口体２８の駆動モータ４３が駆動させられて、この駆動モータ４３の回転がタイミングベルト５０を介して回転清掃体３７のギヤ４０に伝達され、回転清掃体３７が回転駆動される。これにより、被清掃面の塵埃が回転清掃体３７により掻き上げられる。
【００２７】
一方、手元操作パイプ２６に設けられたスイッチＳ１又はＳ２を入れると、電動送風機２４が駆動される。電動送風機２４が駆動すると吸込負圧が発生し、集塵室２２、集塵ホース２５、手元操作パイプ２６、延長管２７を介して吸込口体２８の吸込室３６に吸込負圧が作用する。
【００２８】
この吸込負圧によって回転清掃体３７により掻き上げられた塵埃が空気と共に吸込口体２８の吸込開口３６ａから吸込室３６内に吸い込まれる。この吸い込まれた塵埃及び空気は、延長管２７，手元操作パイプ２６，集塵ホース２５を介して掃除機本体２１の集塵室２２へ吸い込まれる。
【００２９】
そして、集塵室２２へ吸い込まれた空気が集塵室２２内に配設された集塵フィルタ２３を透過する際、この空気に含まれる塵埃が集塵フィルタ２３に捕集される。この集塵フィルタ２３を透過した空気は電動送風機２４に吸い込まれた後に掃除機本体２１の図示しない排気孔から排気される。
【００３０】
このような清掃に際して、糸くずや髪の毛等が回転清掃体３７の両端部に絡みついて、回転清掃体３７が回転できなくなることがある。この場合には、上蓋３４を図３の如く上方に開いて、回転清掃体３７を本体ケース３２から取り出し、回転清掃体３７の両端部に絡みついた糸くずや髪の毛等を除去する。
【００３１】
この後、回転清掃体３７の両端部の軸受４１，４１を本体ケース３２の軸受取付凹部４２，４２内に挿入し、上蓋３４を閉じることにより、軸受４１，４１が上蓋３４の軸受押さえ４３，４３に押し付けられて保持される。この際、上蓋３４のタイミングベルト５０の外周面が回転清掃体３７のギヤ４０に押し付けられると共に噛合する。
（変形例１）
以上説明した実施例では、上蓋３４にタイミングベルト５０を保持させた構成としたが、必ずしもこれに限定されるものではない。
【００３２】
例えば、図３〜図６に示した上蓋３４のギヤ４８，４９及びタイミングベルト５０を省略すると共に、これらのギヤ４８，４９及びタイミングベルト５０を本体ケース３２側に保持させた構成とすることもできる。
【００３３】
この場合には、上蓋３４を開くことにより、回転清掃体３７を本体ケース３２に対して着脱できる。また、回転清掃体３２の清掃後に、回転清掃体３７を上蓋３４と本体ケース３２との間に組み付ける場合、本体ケース３２側に保持されるタイミングベルト（図示せず）に対して回転清掃体３７のギヤ４０を当てた状態で、上蓋３４を本体ケース３２に対して閉じることで、回転清掃体３７のギヤ４０をタイミングベルト（図示せず）に押し付けるように組み付けることができる。
（変形例２）
また、図３〜図６に示した上蓋３４のギヤ４８，４９及びタイミングベルト５０を省略すると共に、これらのギヤ４８，４９及びタイミングベルト５０を本体ケース３２側に保持させ、且つ軸受取付凹部４２，４２に対応する軸受取付凹部は上蓋３４側に設けても良い。
【００３４】
この場合、回転清掃体３２の取り外しに際しては、上蓋３４を下側にすると共に本体ケース３２を上にして、本体ケース３２を上側に開いても、上蓋３４側に残る回転清掃体３２を上蓋３４から取り外すようにすることができる。
【００３５】
また、回転清掃体３２の清掃後に、回転清掃体３７を上蓋３４と本体ケース３２との間に組み付ける場合、回転清掃体３４を上蓋３４内に配設して、回転清掃体３２の両端部の軸受４１，４１を上蓋３４の両端部の軸受凹部（図示せず）に配設することで、回転清掃体３２の両端部の軸受４１，４１を上蓋３４の所定の位置に安定支持させることができる。この状態で、本体ケース３２を上蓋３４に対して閉じることで、回転清掃体３７のギヤ４０をタイミングベルト（図示せず）に押し付けるように容易に組み付けることができる。
（変形例３）
また、例えば、図７，図７Ａに示したように構成することもできる。この図７の中ケース３３には、図７に示したように縦仕切壁３３ａの両側部には前側に突出する支持側片３３ｃ，３３ｃが設けられている。この支持側片３３ｃ，３３ｃの内側面には軸受取付凹部４２ａ，４２ａが設けられている。
【００３６】
そして、この中ケース３３に上蓋３４が上述したように後縁部を中心に開閉自在に取り付けられている。また、上蓋３４の前側両端部は図示しない係止爪や係止片等で中ケース４４の支持側片３３ｃ，３３ｃに着脱可能に保持されている。しかも、回転清掃体３７の軸受４１は中ケース３３の軸受取付凹部４２ａと上蓋３４の軸受押さえ４３とにより保持されている。
【００３７】
また、本体ケース３２は、後部を中心に下方に開閉可能に設けられている。この本体ケース３２には、図８に示したように駆動モータ４４が取り付けられていると共に、ギヤ４８，４９が回転自在に保持されている。そして、ギヤ４５，４８，４９にはタイミングベルト５０が図９の如く掛け渡されている。尚、ギヤ４５は駆動モータ４４の出力軸４４ａに取り付けられている。
【００３８】
このような構成において、糸くずや髪の毛等が回転清掃体３７の両端部に絡みついて、回転清掃体３７が回転できなくなることがある。この場合には、上蓋３４を図３の如く上方に開いて、回転清掃体３７を中ケース３３から取り出し、回転清掃体３７の両端部に絡みついた糸くずや髪の毛等を除去する。
【００３９】
この後、底蓋としての本体ケース３２を図７の如く下方に開いた状態で、回転清掃体３７の両端部の軸受４１，４１を中ケース３３の軸受取付凹部４２，４２内に挿入する。このようにすることで、タイミングベルト５０の反力が回転清掃体３７のギヤ４０に作用しないので、ギヤ４０を設けた側の軸受４１を軸受取付凹部４２ａに挿入しやすい。この状態で、上蓋３４を閉じることにより、軸受４１，４１が上蓋３４の軸受押さえ４３，４３に押し付けられて保持される。
【００４０】
そして、底蓋としての本体ケース３２を閉じることにより、図９の如く本体ケース３２のタイミングベルト５０の外周面が回転清掃体３７のギヤ４０に押し付けられると共に噛合する。
（変形例４）
また、以上説明した実施例では、上蓋３４又は底蓋としての本体ケース３２全体を開閉する構成としたが、必ずしもこれに限定されるものではない。
【００４１】
例えば、上蓋３４のタイミングベルト５０に対応する側の部分に部分的に開閉する小上蓋を設けて、この小上蓋に上述したギヤ４８，４９及びタイミングベルト５０を取り付けた構成としても良い。
【００４２】
また、同様に本体ケース３２のタイミングベルト５０に対応する側の部分に部分的に開閉する小底蓋を設けて、この小底蓋に上述したギヤ４８，４９及びタイミングベルト５０を取り付けた構成としても良い。
（変形例５）
更に、変形例２では、中ケース３３と上蓋（上ケース）３４との間で回転清掃体３７の軸受４１を保持させるようにしているが、必ずしもこれに限定されるものではない。例えば、変形例２において、上蓋（上ケース）３４と本体ケース３２（底蓋）との間で回転清掃体３７の軸受４１を保持させるようにしても良い。
【００４３】
以上説明したように、この発明の実施の形態の吸込口体２８は、底面に吸込開口３６ａを有する吸込室３６が設けられた吸込口本体２９と、前記吸込室３６に配設され且つ前記吸込口本体２９に回転自在に保持された回転清掃体３７と、前記吸込口本体２９に設けられた駆動モータ４４と、前記駆動モータ４４の回転を前記回転清掃体３７の回転伝達部（端部のギヤ４０）に伝達するベルト（タイミングベルト５０）を備えている。しかも、前記吸込口本体２９は上下に回動して開閉する一対の開閉部材（本体ケース３２，上蓋３４）を備え、前記ベルト（タイミングベルト５０）は一方の開閉部材（本体ケース３２又は上蓋３４）の一方に保持されていると共に、前記回転清掃体３７の回転伝達部（一端部のギヤ４０）は前記一対の開閉部材（本体ケース３２又は上蓋３４）の一方を閉じたときに前記ベルト（タイミングベルト５０）の外周面に押し付けられるように設けられている。
【００４４】
この構成によれば、回転清掃体３７と駆動用のベルト（タイミングベルト５０）との組付を迅速且つ簡易に行うことができると共に、回転清掃体３７を吸込口本体２９に組付後に回転清掃体３７が回転しないような自体が生ずるのを未然に防止できる。尚、回転清掃体３７の長手方向中間部にギヤ４０と同様なギヤを回転伝達部として設けることもできる。
【００４５】
また、この発明の実施の形態の吸込口体２８において、前記一対の開閉部材は本体ケース３２と該本体ケース３２の上部側に取り付けられている蓋体（上蓋３４全体又はその一部に設けられる小蓋体）であると共に、前記蓋体（上蓋３４全体又はその一部に設けられる小蓋体）に前記ベルトが保持されている。
【００４６】
この構成によれば、蓋体（上蓋３４全体又はその一部に設けられる小蓋体）の開閉により、回転清掃体３７と駆動用のベルト（タイミングベルト５０）との組付を迅速且つ簡易に行うことができると共に、回転清掃体３７を吸込口本体２９に組付後に回転清掃体３７が回転しないような自体が生ずるのを未然に防止できる。
【００４７】
また、この発明の実施の形態の吸込口体２８において、前記蓋体は前記吸込室３６を開閉可能に前記本体ケース３２の上部側に取り付けられている上蓋３４である。
この構成によれば、上蓋３４を開くことで、回転清掃体３７を簡易且つ迅速に本体ケース３２から取り外して、回転清掃体３７に付着した糸くずや髪の毛等を除去することができると共に、清掃が終了した回転清掃体３７を本体ケース３２に簡易且つ迅速に組み付けることができる。
【００４８】
更に、この発明の実施の形態の吸込口体２８において、前記一対の開閉部材は上ケース（上蓋３４）と該上ケース（上蓋３４）の底部側に取り付けられている蓋体（本体ケース３２又はその一部に設けられる小蓋体）であると共に、前記蓋体（本体ケース３２又はその一部に設けられる小蓋体）に前記ベルト（タイミングベルト５０）が保持されている。
【００４９】
この構成によれば、蓋体（本体ケース３２又はその一部に設けられる小蓋体）の開閉により、回転清掃体３７と駆動用のベルト（タイミングベルト５０）との組付を迅速且つ簡易に行うことができると共に、回転清掃体３７を吸込口本体２９に組付後に回転清掃体３７が回転しないような事態が生ずるのを未然に防止できる。
【００５０】
また、この発明の実施の形態の吸込口体２８において、前記蓋体は前記吸込室３６を開閉可能に上ケース（上蓋３４）の底部側に取り付けられている底蓋（本体ケース３２）である。
【００５１】
この構成によれば、底蓋（本体ケース３２）を開くことで、回転清掃体３７を簡易且つ迅速に本体ケース３２から取り外して、回転清掃体３７に付着した糸くずや髪の毛等を除去することができると共に、清掃が終了した回転清掃体３７を本体ケース３２に簡易且つ迅速に組み付けることができる。
【００５２】
更に、この発明の実施の形態の吸込口体２８において、前記一対の開閉部材の一方は前記ベルト（タイミングベルト５０）を保持する上ケース（上蓋３４）であり、前記一対の開閉部材の他方は前記吸込室３６を開閉可能に前記上ケース（上蓋３４）の下部側に取り付けられている底蓋（本体ケース３２）であると共に、前記回転清掃体３７の両端部は前記上ケース（上蓋３４）と底蓋（本体ケース３２）との間で回転自在に保持され、前記回転清掃体３７の回転伝達部（端部のギヤ４０）は前記上ケース（上蓋３４）のベルト（タイミングベルト５０）に押し付けられている。
【００５３】
この構成によれば、底蓋（本体ケース３２）を開くことで、回転清掃体３７を上蓋３４と底蓋（本体ケース３２）との間から取り外すことができる。また、底蓋（本体ケース３２）を閉じることで、回転清掃体３７の両端部を上ケース（上蓋３４）と底蓋（本体ケース３２）との間で回転自在に保持させることができると共に、回転清掃体３７の回転伝達部（端部のギヤ４０）をベルト（タイミングベルト５０）の外周面に押圧させることができる。この結果、回転清掃体３７を簡易且つ迅速に本体ケース３２から取り外して、回転清掃体３７に付着した糸くずや髪の毛等を除去することができると共に、清掃が終了した回転清掃体３７を本体ケース３２に簡易且つ迅速に組み付けることができる。
【００５４】
また、この発明の実施の形態の吸込口体２８において、前記一対の開閉部材の一方は前記ベルトを保持する本体ケース３２であり、前記一対の開閉部材の他方は前記吸込室を開閉可能に前記本体ケース３２の上部側に取り付けられている上蓋３４であると共に、前記回転清掃体３７の両端部は前記本体ケース３２と上蓋３４との間で回転自在に保持され、前記回転清掃体３７の回転伝達部（端部のギヤ４０）は前記本体ケース３２のベルト（タイミングベルト５０）に押し付けられている。
【００５５】
この構成によれば、上蓋３４を開くことで、回転清掃体３７を上蓋３４と底蓋（本体ケース３２）との間から取り外すことができる。また、上蓋３４を閉じることで、回転清掃体３７の両端部を上ケース（上蓋３４）と底蓋（本体ケース３２）との間で回転自在に保持させることができると共に、回転清掃体３７の回転伝達部（端部のギヤ４０）をベルト（タイミングベルト５０）の外周面に押圧させることができる。この結果、回転清掃体３７を簡易且つ迅速に本体ケース３２から取り外して、回転清掃体３７に付着した糸くずや髪の毛等を除去することができると共に、清掃が終了した回転清掃体３７を本体ケース３２に簡易且つ迅速に組み付けることができる。
【図面の簡単な説明】
【００５６】
【図１】この発明にかかる吸込口体を有する電気掃除機の概略斜視図である。
【図２】図１の吸込口体の一部を破断して示した側面図である。
【図２Ａ】図２のＡ１−Ａ１線に沿う断面図である。
【図２Ｂ】図２ＡのＡ２−Ａ２線に沿う断面図である。
【図３】図１の吸込口体の上蓋を開いた状態の斜視図である。
【図４】図３の側面図である。
【図５】図１〜図４に示した吸込口体の上蓋を図３，図４の如く開いたときの作用説明図である。
【図６】図１〜図４に示した吸込口体の上蓋を図１の如く閉じたときの作用説明図である。
【図７】この発明に係る吸込口体の変形例を示す側面図である。
【図７Ａ】図７のＡ３−Ａ３に沿う断面図である。
【図８】図７に示した吸込口体の作用説明図である。
【図９】図７に示した吸込口体の作用説明図である。
【図１０】従来の電気掃除機の一例を示す概略斜視図である。
【図１１】図１０に示した吸込口体の断面図である。
【符号の説明】
【００５７】
２８…吸込口体
２９…吸込口本体
３２…本体ケース（開閉部材）
３４…上蓋（開閉部材、上ケース）
３６…吸込室
３６ａ…吸込開口
３７…回転清掃体
４４…駆動モータ
５０…タイミングベルト（ベルト）
【図１】
2006006455.tif 000003
【図２】
2006006455.tif 000004
【図２Ａ】
2006006455.tif 000005
【図２Ｂ】
2006006455.tif 000006
【図３】
2006006455.tif 000007
【図４】
2006006455.tif 000008
【図５】
2006006455.tif 000009
【図６】
2006006455.tif 000010
【図７】
2006006455.tif 000011
【図７Ａ】
2006006455.tif 000012
【図８】
2006006455.tif 000013
【図９】
2006006455.tif 000014
【図１０】
2006006455.tif 000015
【図１１】
2006006455.tif 000016